【事件の表示】
　特許第２８５８３５８号「ガスバーナ」の請求項１に係る特許に対する特許異議の申立てについて、次のとおり決定する。
【結　論】
　訂正を認める。
　特許第２８５８３５８号の請求項１に係る特許を維持する。
【理　由】
１、手続の経緯
　特許第２８５８３５８号の請求項１に係る発明は、平成２年７月２日に出願され、平成１０年１２月４日にはその設定登録が、続く平成１１年２月１７日にはその特許公報が発行されたものである。
　これに対し、本件特許異議申立人より、上記請求項１に係る発明について、特許異議申立期間内である平成１１年８月１７日に特許異議の申立がなされ、平成１１年１２月２４日には上記請求項に係る発明に対し、取消理由通知が本件特許権者に発送され、そしてその指定期間内である平成１２年２月２２日には、本件特許権者より、特許異議意見書および訂正請求書が提出された。
　その後、上記訂正請求に対し、平成１２年５月１６日及び平成１２年８月１８日の２度にわたり、訂正拒絶理由通知が本件特許権者へ発送され、同特許権者よりそれぞれその指定期間内である平成１２年７月１７日に意見書及び手続補正書が、また、平成１２年１０月１６日に意見書が提出された。
２、訂正及びその手続補正の適否
（１）上記訂正請求書に添付された訂正明細書の上記手続補正の適否
　平成１２年７月１７日に本件特許権者より提出された上記手続補正の内容は、平成１２年２月２２日付けで請求された訂正事項の内、本件明細書の発明の詳細な説明に記載されたガスバーナの点火炎孔やエレメント炎孔からのガスの燃焼状態を良化する手段を、その訂正後の「下面の突起と凹部の相乗作用」によるものから、その訂正前の「下面の突起」に単に戻すものであるから、いわゆる訂正事項の削除に当たり、訂正請求書の要旨を変更するものではなく、適法なものといえる。
（２）訂正明細書の請求項１に係る発明
　訂正明細書の上記手続補正が上述のごとく適法なものであるとすれば、訂正明細書の請求項１に係る発明は、その特許請求の範囲に記載された下記のとおりのものである。
「　外周に一定ピッチでスリット状に形成された多数の主炎孔と補炎孔および内側上面に複数の内炎孔を備えたバーナキャップであって、前記主炎孔と同一周面上に点火炎孔およびエレメント炎孔を近接して備え、前記点火炎孔およびエレメント炎孔の端部の外周には同点火炎孔およびエレメント炎孔間の全域にわたって連続する凹部とその凹部外周に少なくとも下向き凸状の突起を凹部同様連続して形成したガスバーナ。」
（３）訂正の内容
　訂正明細書の上記手続補正が上述のごとく適法なものであるとすれば、訂正の内容は、結局下記のとおりのものである。
ａ、訂正事項ａ
　特許請求の範囲の「前記点火炎孔およびエレメント炎孔の端部の外周には少なくとも下向きの凸状の突起を備えた」を「前記点火炎孔およびエレメント炎孔の端部の外周には同点火炎孔およびエレメント炎孔間の全域にわたって連続する凹部とその凹部外周に少なくとも下向き凸状の突起を凹部同様連続して形成した」と訂正する。
　これに伴い、明細書の［課題を解決するための手段］の欄を下記の通り訂正する。
「この課題を解決するために本発明のガスバーナは、外周に一定ピッチでスリット状に形成された多数の主炎孔と補炎孔および内側上面に複数の内炎孔を備えたバーナキャップであって、前記主炎孔と同一周面上に点火炎孔およびエレメント炎孔を近接して備え、前記点火炎孔およびエレメント炎孔の端部の外周には同点火炎孔およびエレメント炎孔間の全域にわたって連続する凹部とその凹部外周に少なくとも下向き凸状の突起を凹部同様連続して形成した構成を有している。」
ｂ、訂正事項ｂ
　明細書第４頁第１４行〜第５頁第１３行の「バーナキャップ２の外周に一定ピッチでスリット状の多数の主炎孔６と補炎孔１３を形成し、バーナキャップ２の内側上面に複数の内炎孔１１を形成する。またバーナキャップ２の主炎孔６と同一周面上に点火炎孔７と点火炎孔７の近傍にエレメント炎孔１５を形成し、点火炎孔７の出口の延長上の端部の外周上面に上方への凸状の突起１４ａと端部の外周下面に下方への凸状の突起１４ｂを設ける。
　以上のように本実施例によれば、外周に主炎孔と補炎孔を内側上面に内炎孔を設けたバーナキャップに、主炎孔と同一周面上に点火炎孔とエレメント炎孔を設け、かつ点火炎孔の端部の外周に凸状の突起を設けることにより、ガスバーナ上の鍋等からの煮こぼれがバーナキャプに滴下しても流れこみを防止し、煮こぼれ量が多くて上面の突起を乗り込えても下面の突起で内側への巻き込みを防止して、点火プラグの性能を確保することができる。また下面の突起により、点火炎孔やエレメント炎孔からのガスの燃焼状態が良化する効果も生じる。」を
「バーナキャップ２の外周に一定ピッチでスリット状の多数の主炎孔６と補炎孔１３を形成し、バーナキャップ２の内側上面に複数の内炎孔１１を形成する。またバーナキャップ２の主炎孔６と同一周面上に点火炎孔７と点火炎孔７の近傍にエレメント炎孔１５を形成し、点火炎孔７の出口の延長上の端部の外周上面に上方への凸状の突起１４ａと、同じく第３図から明らかなように同点火炎孔７とエレメント炎孔１５間の端部外周下面全域にわたって連続する下方への凸状の突起１４ｂを設ける。そして第１図から明らかなように前記下方への突起１４ｂの内側に突起１４ｂと同様点火炎孔７とエレメント炎孔１５間の外周下面全域にわたって連続する凹部が設けてある。
　以上のように本実施例によれば、外周に主炎孔と補炎孔を内側上面に内炎孔を設けたバーナキャップに、主炎孔と同一周面上に点火炎孔とエレメント炎孔を設け、かつ点火炎孔の端部の外周に凸状の突起を設けることにより、ガスバーナ上の鍋等からの煮こぼれがバーナキャップに滴下しても流れこみを防止し、煮こぼれ量が多くて上面の突起を乗り込えても下面の突起と凹部で内側への巻き込みを防止して、点火プラグの性能を確保することができる。また下面の突起により、点火炎孔やエレメント炎孔からのガスの燃焼状態が良化する効果も生じる。」と訂正する。
ｃ、訂正事項ｃ
　明細書の［発明の効果］の欄を、
「以上の実施例の説明からも明らかなように本発明は、特に主炎孔と同一周面上に点火炎孔およびエレメント炎孔を近接して備え、前記点火炎孔およびエレメント炎孔の端部の外周には同点火炎孔およびエレメント炎孔間の全域にわたって連続する凹部とその凹部外周に少なくとも下向き凸状の突起を凹部同様連続して形成した構成により、点火炎孔の目詰まりを確実に防止でき、かつ点火プラグへの煮汁付着を防止でき正常な点火性能を確保できるとともに、エレメント炎孔の目詰まりも確実に防止でき、かつ通常該エレメント炎孔に対応して設けられている立ち消え安全装置の感熱部への煮汁付着も防止でき立ち消え安全装置の感熱部の温度も確実に上昇させることもできるうえに、前記突起により燃焼状態も良化し、長期にわたって確実にガスバーナを使用することができるという効果もある。」と訂正する。
（４）訂正の目的の適否、新規事項の有無及び拡張・変更の存否
ａ、訂正事項ａ
　訂正事項ａは、願書に添付した明細書の特許請求の範囲を、訂正前における発明の目的の範囲内で、図面第１図及び第３図の記載を根拠に、点火炎孔およびエレメント炎孔の外周部に凹部が形成されることを追加することで減縮するとともに、同特許請求の範囲の訂正に伴い、同発明の詳細な説明の［課題を解決するための手段］の項をそれにならって訂正するものであって、新規事項の追加に該当せず、実質的に特許請求の範囲を拡張又は変更するものではない。
ｂ、訂正事項ｂ
　訂正事項ｂは、願書に添付した明細書の発明の詳細な説明を、訂正前における発明の目的の範囲内で、図面第１図及び第３図の記載を根拠に、点火炎孔およびエレメント炎孔の外周部に凹部が形成されることを明りょうにするものであって、新規事項の追加に該当せず、実質的に特許請求の範囲を拡張又は変更するものでもない。
ｃ、訂正事項ｃ
　訂正事項ｃは、上記訂正事項ｂと同様に点火炎孔およびエレメント炎孔の外周部に凹部が形成されることを明りょうにするとともに、突起とその内側に形成される凹部により必然的に点火炎孔およびエレメント炎孔の目詰まりが確実に防止でき、突起により燃焼状態が良化できるという効果を明りょうに表現するものであって、新規事項の追加に該当せず、実質的に特許請求の範囲を拡張又は変更するものでもない。
（５）独立特許要件の判断
ａ、本件取消理由通知において引用された第１引用例（特許異議申立の甲第１号証）記載の発明
　上記取消理由通知において引用された第１引用例（特開平１−１４７２１８号公報）には、
「　一方、バーナキャップ７は、明確には第２図および第３図に示すように、皿状を成し中央部にはバーナボディ ６の嵌合筒部 ６ａ に嵌合する取付筒部７２を形成し、内周縁には三個の小孔を一組として １２０度の角度間隔で都合三組の中央炎孔１４ａ、１４ｂ、１４ｃを設けている。また、バーナキャップ ７の裏面側には、突条 ７Ａが等間隔で放射状に周設され、全体的に櫛歯状を呈している。そして、嵌合筒部 ６ａに対する取付筒部７２の嵌合に伴い、これらの突条 ７Ａが環状面６３に当接して外周側に開口する炎孔列１３を形成している。」（公報第２頁左下欄第６〜１６行）、
「　さらには、バーナキャップ７の裏面で突条歯７４ａ、７５ａに対向する外周縁部には、水切部材９０が設けられている。この実施例では、水切部材９０の下端部に半円状の切欠部 ９０ａを形成している。そして、水切部材９０の切欠部 ９０ａで分けられた両側を袖部９１、９２としている。」（公報第３頁左上欄第５〜１０行）、
「　上記構成では、バーナキャップ ７に水切部材９０を設けたので、煮汁などが調理鍋からバーナキャップ ７上にこぼれ落ちても、煮汁などは第６図に矢印で示す如く、水切り部材９０の袖部９１、９２に沿って流下し、スパーク電極　９にはかからない。これによりスパーク電極９の早期劣化が防がれ、作動不良になることが未然に防止される。
　加えて、突条歯 ７Ｅ・７４ａ間、７Ｄ・７５ａ間を噴出する混合ガスは水切部材９０の袖部９１、９２に衝突し、突条歯 ７４ａ・７５ａ間を噴出する混合ガスは直進して乱流を生じ、空気との混合状態が一様でなくなり、濃度が異なり、点火時に点火し易い濃度となった混合ガスが得られ、着火性が良好になる。」（公報第３頁左下欄第１７行〜同右下欄第１０行）、
「　また、水切部材はスパーク電極９ の場合と同様に熱電対１０に対応する側のバーナキャップ ７にも設けるようにしてもよい。］（公報第３頁右下欄第１７〜１９行）および
「また、煮こぼれがスパーク電極９に流れ落ちるようなときには、塀部７１ｃ、７１ｄの乗越えるときであるが。前記のごとく水切部９０が設けてあるので電極 ９にはおよびにくい。」（公報第４頁左下欄第２〜５行）ことが図面とともに記載されている。
　したがって、第１引用例の上記記載からみて、第１引用例記載の「炎孔」、「中央炎孔１４ａ、１４ｂ、１４ｃ」、「バーナキャップ７」及び「水切部材９０」は、訂正明細書の請求項１に係る発明のそれぞれ「主炎孔」、「内炎孔」、「バーナキャップ」及び「下向きの凸状の突起」に相当するから、第１引用例には、
「外周に一定ピッチでスリット状に形成された多数の主炎孔および内側上面に複数の内炎孔を備えたバーナキャップであって、前記主炎孔と同一周面上に点火炎孔およびエレメント炎孔を備え、前記点火炎孔およびエレメント炎孔の端部の外周には下向き凸状の突起を形成したガスバーナ。」が記載されている。　　
ｂ、本件取消理由通知において引用された第２引用例（特許異議申立の甲第４号証）記載の発明
　上記取消理由通知において引用された第２引用例（特開昭６３−２５９３２１号公報）には、
「前記つまみの押し動作に連動してつまみ２３を回転動させると、点火装置３が作動し、火花放電間隙３Ａで火花が生じ、混合気の供給路である前記凹所６２に面した主火口から吹き出した混合気に点火され、種火炎Ａが生じる。この種火炎Ａにより前記混合気の供給路である前記凹所に面した主火口から吹き出した混合気に点火され、熱電対４１の加熱炎Ｂが生じる。この種火炎Ａおよび加熱炎Ｂはバーナキャップ７の外周から外側に吹き出され、バーナの主火口１２から吹き出される混合気に点火される。このように種火炎Ａ、加熱炎Ｂが主火口の炎として炎列を連続させる。」（公報第３頁左上欄第１７行〜同右上欄第９行）および
「　さらに熱電対４１および火花放電電極３１は、ともにバーナキャップの傘部７１で上方を覆われているので、このバーナで加熱されている被調理物１０から煮こぼれ、吹きこぼれなどにより液体がバーナに掛かったとき、吹きこぼれた液体が前記熱電対４１および放電電極３１に付着されることが防止される。」（公報第３頁右上欄第１８行〜同左下欄第４行）ことが図面とともに記載されている。
ｃ、特許異議申立において引用された甲第２号証記載の発明
　上記特許異議申立において引用された甲第２号証（実願昭６１−１００６７１号（実開昭６３−１２０１８号）のマイクロフイルムには、
「　バーナートップ２は中央の筒状部１０の上端から外方に向けて環状の上面部分３を外方程上り傾斜するように形成し、この上面部分３に貫通させて内炎孔４を形成し、更に上面部分３の裏面周部に小間隔をへだてて突部１１を周設し、これら突部１１，１１間を外炎孔６・・・としたものである。」（その明細書第３頁第７〜１２行）および
「副然焼室１５の背壁２２には通孔２３を形成してあり、副燃焼室１５内に最寄りの供給孔５から燃焼ガスを導入することができるようにしてある。」（その明細書第４頁第３〜５行）ことが図面とともに記載されている。
ｄ、特許異議申立において引用された甲第３号証記載の発明
　上記特許異議申立において引用された甲第３号証（特開昭６３−２４３６１９号公報）には、
「　バーナーキャップの傘部７１の前記開環部６２の対応位置は、上方に膨出され該膨出部７３ の外側端は種火炎の吹き出し口１１となっている。吹き出し口１１はその上縁が垂れ下がり部１２を有している。この膨出部 ７３の下には内側に火花放電電極３１が上向きに取りつけられて、該膨出部の下面に設けられた突起７３Ａとの間に火花放電間隙３Ａを形成している。」（公報第２頁右上欄第１３〜２０行）、
「さらにバーナーキャップ７の下面に設けられた前記開環部６２との仕切り壁７４には、バーナー内部１Ａとバーナー外部である前記開環部６２とを連通し、バーナー内部のガスと一次空気との混合気を、前記火花放電間隙３Ａに供給する混合気の供給路７５と、前記熱電対に供給する混合気の供給路７６とが設けられている。前記種火炎の吹き出し口１１は、この混合気の供給路７６による熱電対４１の加熱のための炎Ｂの吹き出し口となっている。」（公報第２頁左下欄第７〜１６行）および
「　このバーナーで加熱されている被調理物１０から煮こぼれ、吹きこぼれなどにより液体がバーナーに掛かったとき、バーナーキャップ７の膨出部７３に掛かった液体は、その左右に流され前記吹き出し口１１から膨出部７３内に入り込むことが阻止される。これにより吹きこぼれた液体が前記放電電極に付着されることが防止される。」（公報第３頁右上欄第１〜７行）ことが図面とともに記載されている。
ｅ、特許異議申立において引用された甲第４号証の２記載の発明
　上記特許異議申立において引用された甲第４号証の２（特開昭６３−２５９３２２号公報）には、その図面第２〜６図に火花放電電極３１と熱電対４１がバーナ１の周方向で近接配置することが記載されている。
ｆ、対比・判断
　したがって、訂正明細書の請求項１に係る発明と上記第１引用例記載の発明とを対比すると、両者は、
「外周に一定ピッチでスリット状に形成された多数の主炎孔および内側上面に複数の内炎孔を備えたバーナキャップであって、前記主炎孔と同一周面上に点火炎孔およびエレメント炎孔を備え、前記点火炎孔およびエレメント炎孔の端部の外周には下向き凸状の突起を形成したガスバーナ。」
である点で一致し、下記イ〜ハの点で相違している。
イ、上記請求項１に係る発明が、そのバーナキャップに「外周に一定ピッチでスリット状に形成された多数の補炎孔」を備えているのに対し、第１引用例記載の発明はそのような構成を備えていない。
ロ、上記請求項１に係る発明が、点火炎孔およびエレメント炎孔を「近接して」備えているのに対し、第１引用例記載の発明はそのような構成を備えていない。
ハ、上記請求項１に係る発明が、点火炎孔およびエレメント炎孔の端部の外周に「点火炎孔およびエレメント炎孔間の全域にわたって連続する凹部とその凹部外周に少なくとも下向き凸状の突起を凹部同様連続して形成」しているのに対し、第１引用例記載の発明は、単に点火炎孔およびエレメント炎孔の端部の外周に、それぞれ「下向き凸状の突起を形成」する構成しか備えていない。
　そこで、上記相違点について検討する。
　まず、相違点ハについてみると、「点火炎孔およびエレメント炎孔間の全域にわたって連続する凹部」を形成するとともに、「その凹部外周に少なくとも下向き凸状の突起を凹部同様連続して形成」することは、本件上記取消理由通知において引用された各引用例ばかりでなく、特許異議申立において引用されたその他の甲各号証のいずれにも記載されていない。
　そして、訂正明細書の請求項１に係る発明は、「下向き凸状の突起」とともにこの「凹部」により、
「点火炎孔の目詰まりを確実こ防止でき、かつ点火プラグへの煮汁付着を防止でき正常な点火性能を確保できるとともに、エレメント炎孔の目詰まりも確実に防止でき、かつ通常該エレメント炎孔に対応して設けられている立ち消え安全装置の感熱部への煮汁付着も防止でき立ち消え安全装置の感熱部の温度も確実に上昇させることもできる」という、上記各引用例およびその他の甲各号証には示唆されていない効果を奏することができるものである。
　したがって、訂正明細書の請求項１に係る発明は、他の相違点イまたはロについて検討するまでもなく、上記各引用例およびその他の甲各号証記載の発明から容易に発明をすることができたものということができない。
（６）訂正の適否に関する結論
　以上のとおりであるから、上記訂正事項ａ〜ｃは、特許法の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項および第３項の規定に適合するので、当該訂正を認める。
３、特許異議申立について
（１）本件特許の発明
　本件特許の訂正後の請求項１に係る発明は、上記訂正がいずれも上述のごとく適法なものであるから、上記２の（２）で認定した訂正後の特許請求の範囲の請求項１に記載されたとおりのものである。
（２）特許異議申立の概要
　本件特許異議申立人は、甲第１号証〜甲第４号証の２を提示し、要するに本件特許の請求項１に係る発明は、これら甲各号証に記載された発明に基づいて、容易に発明をすることができたものであるから、特許法第２９条第２項の規定に違反して特許されたものであり、同法第１１３条第１項第２号の規定により取り消されるべきである旨主張している。
（３）特許異議申立理由の検討
　本件特許の訂正後の請求項１に係る発明は、上述のように本件特許異議申立人が提示した上記甲各号証記載の発明又は取消理由通知等で引用した上記刊行物記載の発明とは、上記２の（５）のｆで指摘した相違を有するものであって、それらの発明から当業者が容易に発明できたものということができない。
（４）むすび
　以上のとおりであるから、本件特許異議申立の理由及び証拠には、本件特許の訂正後の請求項１に係る発明の特許を取り消すべき理由を発見しない。
　また、本件特許の訂正後の請求項１に係る発明の特許を取り消すべき理由を他に発見しない。
　よって、平成６年改正法附則第１４条の規定に基づく、特許法等の一部を改正する法律の施行に伴う経過措置を定める政令（平成７年政令第２０５号）第４条第２項の規定により、上記結論のとおり決定する。
【異議決定日】
平成１２年１１月１３日（２０００．１１．１３）
【訂正の要旨】
訂正の要旨
ａ、訂正事項ａ
　特許請求の範囲の「前記点火炎孔およびエレメント炎孔の端部の外周には少なくとも下向きの凸状の突起を備えた」を「前記点火炎孔およびエレメント炎孔の端部の外周には同点火炎孔およびエレメント炎孔間の全域にわたって連続する凹部とその凹部外周に少なくとも下向き凸状の突起を凹部同様連続して形成した」と訂正する。
　これに伴い、明細書の［課題を解決するための手段］の欄を下記の通り訂正する。
「この課題を解決するために本発明のガスバーナは、外周に一定ピッチでスリット状に形成された多数の主炎孔と補炎孔および内側上面に複数の内炎孔を備えたバーナキャップであって、前記主炎孔と同一周面上に点火炎孔およびエレメント炎孔を近接して備え、前記点火炎孔およびエレメント炎孔の端部の外周には同点火炎孔およびエレメント炎孔間の全域にわたって連続する凹部とその凹部外周に少なくとも下向き凸状の突起を凹部同様連続して形成した構成を有している。」
ｂ、訂正事項ｂ
　明細書第４頁第１４行〜第５頁第１３行の「バーナキャップ２の外周に一定ピッチでスリット状の多数の主炎孔６と補炎孔１３を形成し、バーナキャップ２の内側上面に複数の内炎孔１１を形成する。またバーナキャップ２の主炎孔６と同一周面上に点火炎孔７と点火炎孔７の近傍にエレメント炎孔１５を形成し、点火炎孔７の出口の延長上の端部の外周上面に上方への凸状の突起１４ａと端部の外周下面に下方への凸状の突起１４ｂを設ける。
　以上のように本実施例によれば、外周に主炎孔と補炎孔を内側上面に内炎孔を設けたバーナキャップに、主炎孔と同一周面上に点火炎孔とエレメント炎孔を設け、かっ点火炎孔の端部の外周に凸状の突起を設けることにより、ガスバーナ上の鍋等からの煮こぼれがバーナキャプに滴下しても流れこみを防止し、煮こぼれ量が多くて上面の突起を乗り込えても下面の突起で内側への巻き込みを防止して、点火プラグの性能を確保することができる。また下面の突起により、点火炎孔やエレメント炎孔からのガスの燃焼状態が良化する効果も生じる。」を
「バーナキャップ２の外周に一定ピッチでスリット状の多数の主炎孔６と補炎孔１３を形成し、バーナキャップ２の内側上面に複数の内炎孔１１を形成する。またバーナキャップ２の主炎孔６と同一周面上に点火炎孔７と点火炎孔７の近傍にエレメント炎孔１５を形成し、点火炎孔７の出口の延長上の端部の外周上面に上方への凸状の突起１４ａと、同じく第３図から明らかなように同点火炎孔７とエレメント炎孔１５間の端部外周下面全域にわたって連続する下方への凸状の突起１４ｂを設ける。そして第１図から明らかなように前記下方への突起１４ｂの内側に突起１４ｂと同様点火炎孔７とエレメント炎孔１５間の外周下面全域にわたって連続する凹部が設けてある。
　以上のように本実施例によれば、外周に主炎孔と補炎孔を内側上面に内炎孔を設けたバーナキャップに、主炎孔と同一周面上に点火炎孔とエレメント炎孔を設け、かつ点火炎孔の端部の外周に凸状の突起を設けることにより、ガスバーナ上の鍋等からの煮こぼれがバーナキャップに滴下しても流れこみを防止し、煮こぼれ量が多くて上面の突起を乗り込えても下面の突起と凹部で内側への巻き込みを防止して、点火プラグの性能を確保することができる。また下面の突起により、点火炎孔やエレメント炎孔からのガスの燃焼状態が良化する効果も生じる。」と訂正する。
ｃ、訂正事項ｃ
　明細書の［発明の効果］の欄を、
「以上の実施例の説明からも明らかなように本発明は、特に主炎孔と同一周面上に点火炎孔およびエレメント炎孔を近接して備え、前記点火炎孔およびエレメント炎孔の端部の外周には同点火炎孔およびエレメント炎孔間の全域にわたって連続する凹部とその凹部外周に少なくとも下向き凸状の突起を凹部同様連続して形成した構成により、点火炎孔の目詰まりを確実に防止でき、かっ点火プラグヘの煮汁付着を防止でき正常な点火性能を確保できるとともに、エレメント炎孔の目詰まりも確実に防止でき、かつ通常該エレメント炎孔に対応して設けられている立ち消え安全装置の感熱部への煮汁付着も防止でき立ち消え安全装置の感熱部の温度も確実に上昇させることもできるうえに、前記突起により燃焼状態も良化し、長期にわたって確実にガスバーナを使用することができるという効果もある。」と訂正する。
（５４）【発明の名称】
ガスバーナ
（５７）【特許請求の範囲】
　外周に一定ピッチでスリット状に形成された多数の主炎孔と補炎孔および内側上面に複数の内炎孔を備えたバーナキャップであって、前記主炎孔と同一周面上に点火炎孔およびエレメント炎孔を近接して備え、前記点火炎孔およびエレメント炎孔の端部の外周には
同点火炎孔およびエレメント炎孔間の全域にわたって連続する凹部とその凹部外周に少なくとも下向き凸状の突起を凹部同様連続して形成
【発明の詳細な説明】
　産業上の利用分野
　本発明はガス調理器のこんろ等のガスバーナに関する。
　従来の技術
　以下に従来のガスバーナについて説明する。第５図および第６図に示すように、ガスバーナはバーナヘッド１とバーナキャップ２により構成されている。ガス詮３を開きノズル４により供給されるガスは、バーナ混合管５の中で、空気と混合される。混合されたガスは、バーナキャップ２とバーナヘッド１により形成された主炎孔６及び点火炎孔７より噴出される。この時、ガス詮３の開閉動作に連動して点火器８により、点火プラグ９とバーナキャップ２の突起部１０の間に放電が行われ、点火炎孔７より噴出したガスに点火する。炎は、バーナキャップ１の外周面に設けられた主炎孔６に火移りし点火は完了する。また、バーナキャップ２には、内炎孔１１が設けられており、熱分布を良くしている。また、燃焼に必要な空気は、バーナの外周及びバーナの中空部１２より供給される。
　発明が解決しようとする課題
　しかしながら上記の従来の構成では、こんろ上に載置された鍋の調理物が吹きこぼれてバーナキャップ上に滴下した時、その煮汁は、バーナキャップの外周部へ流れ込み、主炎孔や点火炎孔に付着して炎孔部が目詰まりするので、点火炎孔に着火された炎は主炎孔に火移りせず、目詰まりしていない他の主炎孔の炎孔負担が高くなり、炎が飛び安定した燃焼状態が得られないという問題点。目詰まりしていない主炎孔にも火移りせず、生ガスが出放しとなり危険な状態になるという問題点、さらに立消え安全装置の熱感熱部の温度が上昇しないため、炎は着火せず、着火した場合でも燃焼は継続せず、ガスバーナは使用できない状態となるという問題点を有していた。加えて煮汁は炎孔部だけでなく点火炎孔部の下にある点火プラグにも滴下付着して濡れるので、バーナキャップに正常な放電が行われず、ガスバーナが使用出来ない状態になるという問題点を有していた。
　本発明は上記従来の問題点を解決するもので、誤って煮こぼれした時でも炎孔の目詰まりを防止でき正常な点火性能が確保できるガスバーナを提供することを目的とする。
　課題を解決するための手段
　この課題を解決するために本発明のガスバーナは、外周に一定ピッチでスリット状に形成された多数の主炎孔と補炎孔および内側上面に複数の内炎孔を備えたバーナキャップであって、前記主炎孔と同一周面上に点火炎孔およびエレメント炎孔を近接して備え、前記点火炎孔およびエレメント炎孔の端部の外周には
同点火炎孔およびエレメント炎孔間の全域にわたって連続する凹部とその凹部外周に少なくとも下向き凸状の突起を凹部同様連続して形成し
　作用
　本願発明は上記構成によって、バーナキャップ上に滴下した煮汁は、バーナキャップの外周より流下しても少なくとも点火炎孔とエレメント炎孔部分においては内側への巻き込みがなくなり、点火炎孔の目詰まりおよび点火プラグヘの煮汁付着を防止でき正常な点火性能を確保できるとともに、エレメント炎孔の目詰まりおよび通常該エレメント炎孔に対応して設けれている立ち消え安全装置の感熱部への煮汁付着も防止できて立ち消え安全装置の感熱部の温度も確実に上昇させることができる。
　実施例
　以下、本発明の一実施例について、図面を参照しながら説明する。
　本発明の一実施例を示す第１図ないし第４図では、従来例と同一部品に同一番号を付して説明は省略する。
　バーナキャップ２の外周に一定ピッチでスリット状の多数の主炎孔６と補炎孔１３を形成し、バーナキャップ２の内側上面に複数の内炎孔１１を形成する。またバーナキャップ２の主炎孔６と同一周面上に点火炎孔７と点火炎孔７の近傍にエレメント炎孔１５を形成し、点火炎孔７の出口の延長上の端部の外周上面に上方への凸状の突起１４ａと
、同じく第３図から明らかなように同点火炎孔７とエレメント炎孔１５間の端部外周下面全域にわたって連続する
そして第１図から明らかなように前記下方への突起１４ｂの内側に突起１４ｂと同様点火炎孔７とエレメント炎孔１５間の外周下面全域にわたって連続する凹部が設けてある。
　以上のように本実施例によれば、外周に主炎孔と補炎孔を内側上面に内炎孔を設けたバーナキャップに、主炎孔と同一周面上に点火炎孔とエレメント炎孔を設け、かつ点火炎孔の端部の外周に凸状の突起を設けることにより、ガスバーナ上の鍋等からの煮こぼれがバーナキャプに滴下しても流れこみを防止し、煮こぼれ量が多くて上面の突起を乗り込えても下面の突起
と凹部
　なお、点火バーナとバーナキャップの間にスパークして点火した点火炎孔の炎は、バーナキャップ外周面の主炎に火移りし迅速に全周に広がることになる。
　発明の効果
　以上の実施例の説明からも明らかなように本発明は、特に主炎孔と同一周面上に点火炎孔およびエレメント炎孔を近接して備え、前記点火炎孔およびエレメント炎孔の端部の外周には
同点火炎孔およびエレメント炎孔間の全域にわたって連続する凹部とその凹部外周に少なくとも下向き凸状の突起を凹部同様連続して形成
を確実に防止でき、かつ
も確実に防止でき、かつ
るうえに、前記突起により燃焼状態も良化し、
【図面の簡単な説明】
　第１図は本発明の一実施例のガスバーナのバーナキャップの点火炎孔部と点火プラグの要部断面図、第２図は同ガスバーナの断面図、第３図、第４図は同バーナキャップの平面図及び底面図、第５図は従来のガスバーナの断面図、第６図は同ガスバーナのバーナキャップの底面図である。
１…バーナヘッド、２…バーナキャップ、３…ガス詮、６…主炎孔、７…点火炎孔、９…点火プラグ、１０…突起部、１１…内炎孔、１３…補炎孔、１４ａ、１４ｂ…突起、１５…エレメント炎孔。